(57)【要約】【課題】積層された電池セルからの放熱を効率良く行うことができる電池モジュールを提供する。【解決手段】本発明に係る電池モジュール１００は、積層されている複数の電池セル１０と、複数の電池セル１０を内部で支持しているセルケースと、複数の電池セル１０において、電池セル１０の間で挟持されている放熱板７０と、を備え、放熱板７０は、セルケースから突出し、突出方向に沿って電池セル１０よりも幅広である。【選択図】図１５Ｂ
2019186034.tif 000002
【特許請求の範囲】
【請求項１】
積層されている複数の電池セルと、
前記複数の電池セルを内部で支持しているセルケースと、
前記複数の電池セルにおいて、前記電池セルの間で挟持されている放熱板と、
を備え、
前記放熱板は、前記セルケースから突出し、突出方向に沿って前記電池セルよりも幅広である、
電池モジュール。
【請求項２】
前記放熱板の前記突出方向における両端は、前記セルケースの両端よりも内側に配置されている、
請求項１に記載の電池モジュール。
【請求項３】
前記電池セルは、セル電極を内部に保持している保持部を有し、
前記放熱板は、前記電池セルの積層方向から見た平面視において、前記保持部の全体と重畳している、
請求項１又は２に記載の電池モジュール。
【請求項４】
前記複数の電池セルを含む積層体の積層方向における両端は外部と電気的に絶縁されている、
請求項１乃至３のいずれか１項に記載の電池モジュール。
【請求項５】
前記両端それぞれは、前記セルケース自体、並びに前記電池セルと前記セルケースとの間に配置されている絶縁シート及び拘束板のうち少なくともいずれか１つによって外部と電気的に絶縁されている、
請求項４に記載の電池モジュール。
【請求項６】
前記拘束板は、樹脂材又は表面に電気絶縁性素材が付与されている金属材により構成される、
請求項５に記載の電池モジュール。
【請求項７】
前記電池セルと前記放熱板とは、粘着剤によって互いに固定されている、
請求項１乃至６のいずれか１項に記載の電池モジュール。
【請求項８】
複数の前記放熱板を備え、
前記放熱板は、１つの前記電池セルごとに前記電池セルの間で挟持されている、
請求項１乃至７のいずれか１項に記載の電池モジュール。
【請求項９】
前記放熱板は、前記複数の電池セルの積層方向に沿って中心部に向かうほど前記突出方向に沿って幅広である、
請求項８に記載の電池モジュール。
【請求項１０】
前記放熱板の前記突出方向における端縁部は、前記電池セルの積層方向の一方側に向けて傾斜する部分と他方側に向けて傾斜する部分とを交互に含む、
請求項１乃至９のいずれか１項に記載の電池モジュール。
【請求項１１】
請求項１乃至１０のいずれか１項に記載の電池モジュールを収容しているケースと、
前記ケースの内部に配置され、前記放熱板に向けて送風する送風部と、
を備える、
組電池。
【請求項１２】
前記ケースは、金属材又は金属材と一体成形された樹脂材により構成される、
請求項１１に記載の組電池。
【発明の詳細な説明】
【技術分野】
【０００１】
本発明は、電池モジュール及び組電池に関する。
【背景技術】
【０００２】
従来、複数の電池セルを有する充放電可能な電池モジュールが知られている。例えば、特許文献１には、結合された上部フレーム及び下部フレームの内部に複数の電池セルを配置する電池モジュールが開示されている。
【先行技術文献】
【特許文献】
【０００３】
【特許文献１】特許第５１５４４５４号公報
【発明の概要】
【発明が解決しようとする課題】
【０００４】
このような電池モジュールでは、積層された電池セルの充放電により発生する熱が積層体内にこもる傾向にある。発生した熱量が大きくなると、電池モジュールの使用を抑制する必要性が生じたり、電池モジュールの寿命が短くなったりする。特許文献１に記載の発明では、セルカバーの横方向及び縦方向に空気等の冷却剤が流されることでセルカバー中の電池セルが冷却される。しかしながら、このような方法では放熱性が十分ではなく、電池セルから発生した熱をより効率良く逃がす方法が必要とされる。
【０００５】
このような問題点に鑑みてなされた本発明の目的は、積層された電池セルからの放熱を効率良く行うことができる電池モジュールを提供することにある。
【課題を解決するための手段】
【０００６】
上記課題を解決するために本発明の一実施形態に係る電池モジュールは、
積層されている複数の電池セルと、
前記複数の電池セルを内部で支持しているセルケースと、
前記複数の電池セルにおいて、前記電池セルの間で挟持されている放熱板と、
を備え、
前記放熱板は、前記セルケースから突出し、突出方向に沿って前記電池セルよりも幅広である。
【発明の効果】
【０００７】
本発明の一実施形態に係る電池モジュールによれば、積層された電池セルからの放熱を効率良く行うことができる。
【図面の簡単な説明】
【０００８】
【図１】第１実施形態に係る組電池の構成例を示す分解斜視図である。
【図２】第１実施形態に係る組電池の構成例を示す外観斜視図である。
【図３Ａ】電池セルの上面図である。
【図３Ｂ】電池セルの側面図である。
【図４】電池モジュールの構成例を示す分解斜視図である。
【図５Ａ】電池モジュールを組み立てる代表的な第１工程を示した模式図である。
【図５Ｂ】電池モジュールを組み立てる代表的な第２工程を示した模式図である。
【図５Ｃ】電池モジュールを組み立てる代表的な第３工程を示した模式図である。
【図５Ｄ】電池モジュールを組み立てる代表的な第４工程を示した模式図である。
【図５Ｅ】電池モジュールを組み立てる代表的な第５工程を示した模式図である。
【図５Ｆ】電池モジュールを組み立てる代表的な第６工程を示した模式図である。
【図５Ｇ】電池モジュールを組み立てる代表的な第７工程を示した模式図である。
【図５Ｈ】電池モジュールを組み立てる代表的な第８工程を示した模式図である。
【図６】補機モジュールの構成例を示す分解斜視図である。
【図７】電池モジュールと補機モジュールとの組立例を示す斜視図である。
【図８】上部ケースの構成例を示す分解斜視図である。
【図９】下部ケースに電池モジュールが収容されている構成例を示す斜視図である。
【図１０】図９のＡ−Ａ断面図である。
【図１１】図１０の破線囲み部の拡大図である。
【図１２】第２実施形態に係る電池モジュールの構成例を示す外観斜視図である。
【図１３Ａ】図１２の電池モジュールの上面図である。
【図１３Ｂ】図１２の電池モジュールの底面図である。
【図１４】図１２の電池モジュールの構成例を示す分解斜視図である。
【図１５Ａ】図９のＡ−Ａ断面に対応する図１２の電池モジュールの断面図である。
【図１５Ｂ】図９のＢ−Ｂ断面に対応する図１２の電池モジュールの断面図である。
【図１６】図１４の電池セルと放熱板との配置関係を上面視で示した模式図である。
【図１７】放熱板の他の第１例を拡大して示した図９のＢ’−Ｂ’断面に対応する拡大断面図である。
【図１８Ａ】放熱板の他の第２例を模式的に示した上面図である。
【図１８Ｂ】放熱板の他の第２例を模式的に示した側面図である。
【図１９】下部ケースに関連する構成の他の例を示した斜視図である。
【発明を実施するための形態】
【０００９】
以下、図面を参照しながら一実施形態について説明する。以下の説明における、前後、左右、及び上下の方向は、図中の矢印の方向を基準としている。一実施形態においては、一例として、複数の電池セル１０の積層方向は上下方向であるとして説明するが、これに限られない。複数の電池セル１０の積層方向は、他の任意の方向であってもよい。
【００１０】
（第１実施形態）
図１は、第１実施形態に係る組電池１の構成例を示す分解斜視図である。図２は、第１実施形態に係る組電池１の構成例を示す外観斜視図である。
【００１１】
組電池１は、内燃機関を備えた車両、又は内燃機関と電動機との双方の動力で走行可能なハイブリッド車両等の車両に搭載されて使用されてよい。組電池１は、例えば、車両の座席の下に搭載されてよい。組電池１は、例えば、車両のセンターコンソール内に搭載されてよい。組電池１は、車両用に限られず、他の用途で用いられてもよい。
【００１２】
図１に示されるように、組電池１は、電池モジュール１００と、補機モジュール２００と、下部ケース３００と、上部ケース４００とを有する。下部ケース３００と上部ケース４００とは、例えばねじ止め等の締結構造、又は、爪若しくはクリップ等による嵌合構造等によって係合されている。これにより、組電池１の内部には空間が形成されている。下部ケース３００と上部ケース４００とは、単にケースと総称される。電池モジュール１００と補機モジュール２００とは、下部ケース３００と上部ケース４００とによって形成されている空間内に位置する。電池モジュール１００は、下部ケース３００側に位置する。補機モジュール２００は、上部ケース４００側に位置する。すなわち、補機モジュール２００は、電池モジュール１００に対して上側に位置する。下部ケース３００と上部ケース４００は、例えば金属材料により構成されるが、樹脂材料により構成されてもよい。
【００１３】
電池モジュール１００は、上下方向に積層されている電池セル１０の上方に位置する拘束板６０を有する。拘束板６０は、電池セル１０に向かって下方に突出する凸部６２を有する。下部ケース３００は、下方に位置する底面３１０を有する。底面３１０は、電池セル１０に向かって上方に突出する凸部３１２を有する。
【００１４】
図２に示されるように、組電池１は、上部ケース４００において、プラス出力端子４１０と、マイナス出力端子４２０と、コネクタ４３０と、ガス排出部４４０とを有する。プラス出力端子４１０及びマイナス出力端子４２０は、電池モジュール１００に含まれている電池セル１０の電極タブ１２（図３Ａ及び図３Ｂ参照）に電気的に接続されている。コネクタ４３０は、補機モジュール２００に含まれるリレー２２０（図６参照）等に電気的に接続されている。ガス排出部４４０は、ケースの内部で電池セル１０から発生したガスを組電池１の外部に排出する。
【００１５】
図３Ａ及び図３Ｂは、電池セル１０単体の構成例を示す図である。図３Ａは、電池セル１０の上面図である。図３Ｂは、電池セル１０の側面図である。
【００１６】
図３Ａ及び図３Ｂに示されるように、電池セル１０は、電池セル１０の電解液及びセル電極等を内部に保持する外装部材１６と、電池セル１０の前方及び後方それぞれの側に位置する一対の負極タブ１２ｎ及び正極タブ１２ｐとを有する。電池セル１０の形状は、全体として平板状であってよい。外装部材１６によって電解液及びセル電極等が内部に保持されている部分は、保持部１８ともいう。外装部材１６が接着、圧着、又は溶着されたりすることによって電解液等の内容物の漏洩を防ぐように封止している部分は、封止部１９ともいう。封止部１９の上下方向の厚みは、保持部１８の上下方向の厚みよりも薄い。
【００１７】
外装部材１６は、ラミネートフィルムを含んでよい。外装部材１６の最外層は、電気絶縁性を確保するための樹脂材料を含んでよい。言い換えれば、電池セル１０は、その表層に絶縁性部材を有してよい。外装部材１６は、絶縁層を含んでよい。
【００１８】
電池セル１０は、前方及び後方それぞれの側に第１外面１１を有する。電池セル１０は、左側及び右側それぞれに第２外面１３を有する。第１外面１１及び第２外面１３は、外装部材１６の端部として構成されてよい。電池セル１０は、保持部１８の上方及び下方それぞれの側に第３外面１４を有する。第３外面１４は、外装部材１６の最外層として構成されてよい。第１外面１１、第２外面１３、及び第３外面１４それぞれを延長した面は、互いに交差する。
【００１９】
負極タブ１２ｎと正極タブ１２ｐとは、電極タブ１２と総称される。負極タブ１２ｎ及び正極タブ１２ｐはそれぞれ、前方及び後方の第１外面１１から突出してよい。負極タブ１２ｎ及び正極タブ１２ｐは、入れ替えられてよい。負極タブ１２ｎと正極タブ１２ｐとは、互いに反対方向に突出してよい。負極タブ１２ｎと正極タブ１２ｐとは、同じ方向に突出してもよい。電池セル１０は、一対の正極タブ１２ｐ及び負極タブ１２ｎが前後方向に沿って配置された状態で、上下方向に積層されているとする。
【００２０】
電極タブ１２は、第１外面１１の中央部から突出してよい。電極タブ１２は、前後方向に略平行に突出してよい。電極タブ１２は、突出方向に沿ったタブ側面１７を有してよい。電極タブ１２は、平板状であってよい。
【００２１】
図４は、電池モジュール１００の構成例を示す分解斜視図である。
【００２２】
図４に示されるように、電池モジュール１００は、上下方向に積層されている複数の電池セル１０を有する。電池セル１０の数は、６個に限られず、５個以下であってもよいし、７個以上であってもよい。積層されている電池セル１０は、電池セル１０の間に位置する接着層１５によって接着されていてよい。電池モジュール１００は、積層されている電池セル１０の間に、放熱板７０を有してよい。放熱板７０は、接着層１５によって電池セル１０に接着されていてよい。
【００２３】
放熱板７０は、電池セル１０からの放熱性を向上させるために、電気伝導性を有する材料によって構成される。このとき、放熱板７０は、任意の方法により、電池セル１０と電気的に絶縁されている。例えば、放熱板７０は、電池セル１０の表層を構成する絶縁層によって絶縁されていてもよい。例えば、放熱板７０は、電池セル１０と放熱板７０との間に別途配置される絶縁シート５０によって絶縁されていてもよい。例えば、放熱板７０は、放熱板７０の表層を構成する絶縁層によって絶縁されていてもよい。このとき、放熱板７０は、例えば、表面に電気絶縁性素材が付与されている金属材によって構成される。
【００２４】
接着層１５は、電池セル１０の第３外面１４に設けられていてよい。接着層１５は、電池セル１０の上下２つの第３外面１４の一方に設けられていてよい。接着層１５は、接着剤又は両面テープ、ホットメルト等の粘着剤を含んでよい。接着層１５は、例えば、各電池セル１０の第３外面１４に接着剤を塗布する方法、又は、他の種々の方法によって形成されてよい。各構成部の間に位置する接着層１５の数は、図４に例示されている２枚に限られず、１枚であってもよいし、３枚以上であってもよい。接着層１５の形状は、図４に例示されている矩形に限られず、他の種々の形状であってもよい。
【００２５】
電池モジュール１００は、第１セルケース２０及び第２セルケース３０をさらに有する。第１セルケース２０及び第２セルケース３０が組み合わされている構成は、単にセルケースと総称される。第１セルケース２０及び第２セルケース３０はそれぞれ、積層されている電池セル１０の左側及び右側に位置する。第１セルケース２０及び第２セルケース３０は、互いに係合している状態で、積層されている電池セル１０を内部に収容している。より具体的には、セルケースは、積層されている電池セル１０を内部で支持し、電極タブ１２を配列する。第１セルケース２０及び第２セルケース３０はそれぞれ、側面から内側に向けて突出する仕切板２３及び３３を有してよい。仕切板２３及び３３は、第１セルケース２０及び第２セルケース３０が係合している状態で、各電池セル１０の封止部１９の間に位置する。
【００２６】
第１セルケース２０の形状は、上方向から見て、略矩形の枠状であって、右側の辺が開いている形状である。言い換えれば、第１セルケース２０の形状は、右側の辺が開いている略コの字状である。第２セルケース３０の形状は、上方向から見て、略矩形の枠状であって、左側の辺が開いている形状である。言い換えれば、第２セルケース３０の形状は、左側の辺が開いている略コの字状である。第１セルケース２０及び第２セルケース３０は、それぞれの開いている側で係合することで、上方向から見て矩形の枠状の構成となる。第１セルケース２０及び第２セルケース３０が係合している構成の形状は、上方向から見て略ロの字状であるともいえる。セルケースは、積層されている電池セル１０を枠状の構成の中で収容している。上方向から見て枠の内側に該当する部分は、第１セルケース２０及び第２セルケース３０それぞれにおいて、開口部２２及び開口部３２というものとする。第１セルケース２０は、電池セル１０の積層方向の両端それぞれに、開口部２２を有する。第２セルケース３０は、電池セル１０の積層方向の両端それぞれに、開口部３２を有する。
【００２７】
第１セルケース２０及び第２セルケース３０は、例えば、一方に設けられている係合爪と、他方に設けられている係合孔とによって、互いに係合してよい。第１セルケース２０及び第２セルケース３０は、例えば、任意の面から突出している係合部をそれぞれ有し、突出している係合部がクリップ等の弾性部材によって挟持されることによって係合してもよい。第１セルケース２０及び第２セルケース３０は、例えば、ねじ止め等の種々の締結構造によって係合してもよい。第１セルケース２０及び第２セルケース３０は、これらの例に限られず、種々の方法によって係合してよい。このようにすることで、組電池１の組立が容易になりうる。結果として、製品の信頼性が向上しうる。
【００２８】
第１セルケース２０及び第２セルケース３０は、比較的高い剛性を有する材料を含んでよい。第１セルケース２０及び第２セルケース３０は、例えば、表面にＰＥＴ（Polyethylene Terephthalate）樹脂等の電気絶縁性素材が付与されている金属材、又は樹脂材等によって構成されてよい。
【００２９】
第２セルケース３０は、前後方向それぞれにスリット３４を有する。電池セル１０がセルケースに収容されている状態において、電池セル１０の電極タブ１２は、スリット３４を貫通し、セルケースの外部に突出する。スリット３４の数は、電池セル１０の数に対応する。
【００３０】
電池モジュール１００は、セルケースから外部に突出している電極タブ１２を電気的に接続する、タブ間バスバ４０、総プラスバスバ４１及び総マイナスバスバ４２をさらに有する。タブ間バスバ４０、総プラスバスバ４１及び総マイナスバスバ４２は、単にバスバと総称される。
【００３１】
バスバは、電気伝導性を有する材料によって構成される。例えば、バスバは、金属材又は電気伝導性素材が付与されている樹脂材によって構成される。金属材は、例えばアルミニウム又は銅等を含む。バスバを構成する材料は、電極タブ１２を構成する材料に応じて溶接性が確保されるように決定される。バスバの表面には、バスバと電極タブ１２とを接合するレーザ溶接用のレーザ光を吸収するめっきが施されていてもよい。
【００３２】
電池セル１０は、正極タブ１２ｐと負極タブ１２ｎとが交互に入れ替わるように積層されている。すなわち、１つの電池セル１０の正極タブ１２ｐ及び負極タブ１２ｎがそれぞれ前方向及び後方向を向く場合、その電池セル１０の隣に積層されている電池セル１０の正極タブ１２ｐ及び負極タブ１２ｎはそれぞれ、後方向及び前方向を向く。
【００３３】
タブ間バスバ４０は、１つの電池セル１０の正極タブ１２ｐと、その電池セル１０の隣に積層されている電池セル１０の負極タブ１２ｎとを電気的に接続する。このようにすることで、積層されている電池セル１０が電気的に直列に接続される。電池セル１０が直列に接続している場合、上端又は下端に位置する電池セル１０の正極タブ１２ｐは、いずれの電池セル１０とも接続していない状態である。上端に位置する電池セル１０の正極タブ１２ｐがいずれの電池セル１０とも接続していない状態であるものとする。総プラスバスバ４１は、上端に位置する電池セル１０の正極タブ１２ｐと接続する。この場合、下端に位置する電池セル１０の負極タブ１２ｎは、いずれの電池セル１０とも接続していない状態である。総マイナスバスバ４２は、下端に位置する電池セル１０の負極タブ１２ｎと接続する。このようにすることで、電気的に直列に接続している電池セル１０の総電圧として、総プラスバスバ４１と総マイナスバスバ４２との間に生じる電位差が出力される。
【００３４】
組電池１は、電圧検出部をさらに有してよい。電圧検出部は、バスバを介して電極タブ１２に電気的に接続し、各電池セル１０の端子電圧を検出してよい。
【００３５】
電池モジュール１００は、上下方向に積層されている電池セル１０を上側から拘束する拘束板６０をさらに有する。拘束板６０は、拘束板締結部材６４によって、第１セルケース２０及び第２セルケース３０に設けられている締結部６６に締結される。図４の破線は、拘束板締結部材６４と締結部６６との対応関係の一例を示している。
【００３６】
拘束板６０は、比較的高い剛性を有する材料を含んで構成されてよい。拘束板６０は、例えば、金属材のみによって構成されてよい。拘束板６０の構成は、これに限定されず、樹脂材であってもよいし、表面にＰＥＴ樹脂等の電気絶縁性素材が付与されている金属材であってもよい。拘束板６０の形状は、略平板状であってよい。拘束板６０は、凸部６２を有する。拘束板６０の凸部６２は、セルケースの開口部２２及び３２を通って、電池セル１０の上面を加圧する。このようにすることで、積層されている電池セル１０が拘束される。したがって、電池モジュール１００が容易にハンドリングされうる。拘束板６０がセルケースの開口部２２及び３２を通して電池セル１０を加圧することによって、電池セル１０を加圧する力がセルケースに加わりにくくなる。その結果、セルケースが劣化したり損傷したりしにくくなる。
【００３７】
電池モジュール１００は、上下方向に積層されている電池セル１０と拘束板６０との間に、絶縁シート５０を有してよい。すなわち、拘束板６０は、絶縁シート５０を介して、電池セル１０に対して積層されていてよい。絶縁シート５０は、電池セル１０に接着層１５によって接着されていてよい。絶縁シート５０は、積層されている電池セル１０のうち上端に位置する電池セル１０の上面に当接してよい。絶縁シート５０は、積層されている電池セル１０のうち下端に位置する電池セル１０の下面に当接してよい。絶縁シート５０は、ポリエチレン（ＰＥ：polyethylene）又はポリプロピレン（ＰＰ：polypropylene）樹脂等の電気絶縁性材料を含んでよい。絶縁シート５０の形状は、略平板状であってよいが、これに限られない。絶縁シート５０は、拘束板６０に接着層１５によって接着されていてよい。絶縁シート５０が設けられることによって、電池セル１０の上面と、拘束板６０との間の電気的な絶縁性が向上されうる。拘束板６０は、絶縁シート５０を介さずに、接着層１５によって電池セル１０に接着されていてよい。拘束板６０が絶縁シート５０を介さずに電池セル１０に接着されている場合、電池セル１０の外装部材１６は、その表層等に絶縁性部材の層を含んでよい。拘束板６０と電池セル１０との間に位置する絶縁シート５０又は絶縁性部材の層は、第１絶縁層ともいう。電池モジュール１００が拘束板６０と電池セル１０との間に第１絶縁層を有することによって、拘束板６０と電池セル１０との間の電気絶縁性が向上されうる。
【００３８】
第１セルケース２０は、左方向の側面に側面開口部２５を有してよい。第２セルケース３０は、右方向の側面に側面開口部３５を有してよい。電池モジュール１００が放熱板７０を有する場合、放熱板７０から左右方向に突出している部分が、側面開口部２５及び３５を通って、セルケースの外側に突出しうる。
【００３９】
図５Ａ〜図５Ｈは、電池モジュール１００を組み立てる代表的な第１工程〜第８工程をそれぞれ示した模式図である。電池モジュール１００は、図５Ａ〜図５Ｈに例示される手順に沿って、組み立てられてよい。
【００４０】
図５Ａに示される工程において、電池モジュール１００を組み立てるために治具９０が用いられる。治具９０は、その上に載置される電池セル１０又は放熱板７０等が位置合わせされるように構成されてよい。
【００４１】
図５Ｂに示される工程において、電池セル１０が治具９０の上に載置される。治具９０は、電池セル１０が位置合わせされている状態で載置されるように、電池セル１０の第１外面１１及び第２外面１３の形状に対応した内面を有してよい。治具９０は、電池セル１０の第１外面１１の中央部から突出している電極タブ１２に対応する形状を有してよい。電池セル１０の上面又は下面に、接着層１５が設けられていてよい。
【００４２】
図５Ｃに示される工程において、放熱板７０が治具９０の上に載置される。治具９０は、放熱板７０等を位置合わせして載置できるように、ボス９２及び段差を有してよい。放熱板７０は、電池モジュール１００が下部ケース３００に締結される際に用いられる、突起部と孔７２とを端部に有してよい。放熱板７０は、突起部が治具９０の段差に当接し、且つ、孔７２が治具９０のボス９２に嵌まることによって、位置合わせされてよい。
【００４３】
図５Ｄに示される工程において、積層されている電池セル１０の上面に、さらに絶縁シート５０が載置されてよい。絶縁シート５０の上面に、接着層１５が設けられていてよい。
【００４４】
図５Ｅに示される工程において、少なくとも電池セル１０が積層されている構成に対して、第２セルケース３０が挿入される。その際、第２セルケース３０の仕切板３３は、積層されている電池セル１０の封止部１９の間に挿入される。電池セル１０が積層されている構成は、電池セル１０同士、又は、電池セル１０と他の構成とが接着層１５によって接着されていることによって、治具９０から取り出された状態でも、位置合わせされている状態を維持しうる。
【００４５】
図５Ｆに示される工程において、電池セル１０が積層されている構成に対して、第２セルケース３０の反対側から第１セルケース２０が挿入される。その際、第１セルケース２０の仕切板２３は、積層されている電池セル１０の封止部１９の間に挿入される。電池セル１０の電極タブ１２は、第２セルケース３０のスリット３４から外部に突出する。
【００４６】
図５Ｇに示される工程において、電極タブ１２に対して、タブ間バスバ４０、総プラスバスバ４１及び総マイナスバスバ４２が電気的に接続される。バスバと電極タブ１２とは、例えば、溶接又は溶着等によって電気的に接続されてよい。隣接する電池セル１０の正極タブ１２ｐ及び負極タブ１２ｎがタブ間バスバ４０に対して溶接により接合される場合、電池セル１０が位置合わせされている状態を維持していることによって、精度よく接合されうる。
【００４７】
さらに、電池セル１０が積層されている構成がセルケースに収容されている構成に対して、拘束板６０が上面から取り付けられる。拘束板６０の凸部６２は、セルケースの開口部２２及び３２を通って、電池セル１０が積層されている構成の上面に当接する。拘束板６０は、接着層１５によって電池セル１０が積層されている構成に接着されてよい。
【００４８】
図５Ｈに示される工程において、拘束板６０は、拘束板締結部材６４によってセルケースに締結されてよい。拘束板６０がセルケースに締結されることによって、電池モジュール１００の組立が完了する。
【００４９】
図５Ａ〜Ｈに例示される工程に沿って電池モジュール１００が組み立てられる場合、隣接して積層されている電池セル１０の電極タブ１２同士の位置決めの精度が向上されうる。結果として、電極タブ１２とバスバとが高い精度で容易に接合されうるとともに、組電池１の信頼性が向上されうる。
【００５０】
電池セル１０、放熱板７０、絶縁シート５０、又は拘束板６０等の積層されている各部が接着層１５によって接着されていることによって、電池モジュール１００が振動又は衝撃等を受けた場合の耐久性が向上されうる。例えば、電池モジュール１００を有する組電池１が車両に搭載される場合、車両の走行時の振動又は衝撃等によって、電池モジュール１００の各部の相対的な変位が低減されうる。電池モジュール１００の各部が接着されることによって、振動又は衝撃等を受けた場合でも、各部が破損しにくくなる。
【００５１】
第１セルケース２０及び第２セルケース３０がそれぞれ、電池セル１０の封止部１９の間に位置する仕切板２３及び３３を有することによって、電池セル１０は、互いに絶縁されやすくなる。例えば、電池セル１０が経時的に劣化して変形した場合でも、隣接して積層されている電池セル１０同士が互いに接触しにくくなる。
【００５２】
セルケースが表面に電気絶縁性素材が付与されている金属材、又は樹脂材等によって構成されることで、組電池１の内部に位置する電気部品等と、電池セル１０とが、互いに電気的に絶縁されうる。
【００５３】
また、組電池１の下部ケース３００と上部ケース４００が金属製であった場合でも、電池セル１０と、組電池１の外部に位置する電気部品等との絶縁を確保することができる。なお、下部ケース３００、上部ケース４００が樹脂材料により構成されていれば、セルケースが金属材料により構成されていても、同様に電池セル１０と組電池１の外部に位置する電気部品等との絶縁を確保することができる。
【００５４】
図６は、補機モジュール２００の構成例を示す分解斜視図である。
【００５５】
図６に示されるように、補機モジュール２００は、補機台座２１０と、リレー２２０と、電流センサ２３０と、ヒューズ２４０と、基板２６０とを有する。電流センサ２３０は、その端子に締結孔２３１を有し、締結部材２５２によって、補機台座２１０の締結部２１２に締結される。電流センサ２３０の一端の締結孔２３１は、リレー２２０と電気的に接続している銅バスバ２５０の締結孔２５１と共締めされる。リレー２２０は、その端子に締結孔２２１を有し、締結部材２５２によって、補機台座２１０の締結部２１２に締結される。リレー２２０の一端の締結孔２２１は、電流センサ２３０と電気的に接続している銅バスバ２５０の締結孔２５１と共締めされる。リレー２２０の他端の締結孔２２１は、ヒューズ２４０と電気的に接続している銅バスバ２５０の締結孔２５１と共締めされる。ヒューズ２４０は、その端子に締結孔２４１を有し、締結部材２５２によって、補機台座２１０の締結部２１２に締結される。ヒューズ２４０の一端の締結孔２４１は、リレー２２０と電気的に接続している銅バスバ２５０の締結孔２５１と共締めされる。基板２６０は、例えば４隅に締結孔２６１を有し、締結部材２６２によって、補機台座２１０の締結部２１４に締結される。補機台座２１０は、締結孔２１６を有する。補機モジュール２００は、電池モジュール１００と合わせて下部ケース３００に収容される際、締結孔２１６にモジュール締結部材２７０（図７参照）が貫通することによって、下部ケース３００の締結部３４０（図１参照）に締結される。
【００５６】
図７は、電池モジュール１００と補機モジュール２００との組立例を示す斜視図である。
【００５７】
図７に示されるように、補機モジュール２００の補機台座２１０は、モジュール締結部材２７０によって、第１セルケース２０及び第２セルケース３０に締結されている。モジュール締結部材２７０は、補機モジュール２００と電池モジュール１００とを合わせて、下部ケース３００の締結部３４０（図１参照）に締結しうる。電流センサ２３０は、リレー２２０と電気的に接続している側とは異なる端子において、総プラスバスバ４１と電気的に接続している銅バスバ２５０と電気的に接続している。
【００５８】
組電池１は、プラス出力端子４１０とマイナス出力端子４２０とをさらに有する。ヒューズ２４０は、リレー２２０と電気的に接続している側とは異なる端子において、プラス出力端子４１０と電気的に接続しているプラス出力端子バスバ４１２と電気的に接続している。すなわち、プラス出力端子４１０は、直列に接続されているヒューズ２４０とリレー２２０と電流センサ２３０とを介して、総プラスバスバ４１と電気的に接続している。マイナス出力端子４２０は、マイナス出力端子バスバ４２２を介して、総マイナスバスバ４２と電気的に接続している。プラス出力端子４１０は、締結孔４１４におけるねじ止め等によって、下部ケース３００の締結部３３０（図１参照）に締結されてよい。マイナス出力端子４２０は、締結孔４２４におけるねじ止め等によって、下部ケース３００に締結されてよい。
【００５９】
組電池１は、タブ間バスバ４０、総プラスバスバ４１及び総マイナスバスバ４２を覆うバスバカバー８０をさらに有してよい。バスバカバー８０がバスバを覆うことによって、組電池１が衝突等の衝撃を受け、変形、損傷した場合でも、バスバと下部ケース３００間の電気的絶縁性が確保されるため、組電池１の信頼性がより高められうる。
【００６０】
リレー２２０は、電池セル１０と、プラス出力端子４１０との間を接続したり、切断したりするスイッチング素子として機能する。
【００６１】
電流センサ２３０は、電池セル１０からプラス出力端子４１０に流れる電流の大きさを検出する。電流センサ２３０は、検出した電流の大きさを基板２６０に出力してよい。
【００６２】
ヒューズ２４０は、ヒューズ本体と、ヒューズ本体を収容保持する絶縁樹脂製のハウジングと、ハウジングを覆う絶縁樹脂製のカバーとを含んでよい。ヒューズ２４０は、過電流が流れることによって溶断する。
【００６３】
基板２６０は、ＢＭＳ（Battery Management System）を有してよい。ＢＭＳは、バッテリコントローラともいう。ＢＭＳは、少なくとも１つのプロセッサを含んで構成されてよい。ＢＭＳは、電流センサ２３０と通信可能に接続され、電流センサ２３０から電流の検出結果を取得してよい。ＢＭＳは、リレー２２０と通信可能に接続され、リレー２２０の開閉を制御する情報を出力してよい。ＢＭＳは、タブ間バスバ４０と電気的に接続され、タブ間バスバ４０の電位を検出してもよい。ＢＭＳは、タブ間バスバ４０の電位を検出するセンサと通信可能に接続され、タブ間バスバ４０の電位の検出結果を取得してよい。ＢＭＳは、電池セル１０に関する情報を、コネクタ４３０（図８参照）を通じて、外部に出力してよい。
【００６４】
図８は、上部ケース４００の構成例を示す分解斜視図である。
【００６５】
図８に示されるように、上部ケース４００は、コネクタ４３０と、ガス排出部４４０とを有する。コネクタ４３０は、補機モジュール２００の基板２６０と通信可能に接続されている。コネクタ４３０は、例えば組電池１を搭載している車両のＥＣＵ（Electric Control Unit）等の外部回路と接続可能であってよい。
【００６６】
上部ケース４００は、下部ケース３００の締結部３２０（図９参照）と締結される締結部４５０を有する。下部ケース３００の締結部３２０と上部ケース４００の締結部４５０とは、ねじ止め等によって締結されてよいし、クリップ等の弾性部材によって締結されてもよい。上部ケース４００と下部ケース３００とが締結されて構成されるケースは、電池モジュール１００を取り囲むことによって、電池モジュール１００を保護しうる。
【００６７】
電池セル１０は、充放電を繰り返すことによって、経時的に劣化しうる。電池セル１０の経時劣化に伴って、電池セル１０の内部において、電解液の分解又は揮発等に起因するガスが発生しうる。電池セル１０の内部のガスの圧力が所定値を上回ると、ガスは、電池セル１０の封止部１９の一部から外部へと放出されうる。電池セル１０の内部から放出されたガスは、下部ケース３００と上部ケース４００とによって囲まれている、組電池１の内部の空間に溜まりうる。組電池１の内部の空間に溜まったガスは、上部ケース４００のガス排出部４４０を通って、組電池１の外部に排出されうる。ガス排出部４４０は、上部ケース４００の上面に設けられているが、これに限られず、上部ケース４００の側面に設けられていてもよいし、下部ケース３００の底面３１０（図１０参照）又は側面に設けられていてもよい。
【００６８】
ガス排出部４４０は、ガスカバー４４２と、ブリーザ４４４とを有する。ガスカバー４４２は、ブリーザ４４４を覆うことによって、ブリーザ４４４を外部からの衝撃等から保護しうる。ブリーザ４４４は、通気性を有しつつ防水性及び防塵性も有する内圧調整膜をガスの排出経路に有する。ガス排出部４４０がブリーザ４４４を有することによって、組電池１の内部の空間に溜まっているガスが組電池１の外部に排出されるとともに、組電池１の外部から、水又は塵埃等が組電池１の内部に進入しにくくなる。結果として、組電池１の信頼性が向上されうる。
【００６９】
図９は、下部ケース３００に電池モジュール１００が収容されている構成例を示す斜視図である。
【００７０】
図９に示されるように、電池モジュール１００は、下部ケース３００に収容されている状態において、下部ケース３００の締結部３４０（図１参照）に締結されている。補機モジュール２００が電池モジュール１００の上部に搭載される場合、補機台座２１０とセルケースとは、モジュール締結部材２７０（図７参照）によって、下部ケース３００の締結部３４０にまとめて締結される。
【００７１】
図１０は、図９のＡ−Ａ断面図である。図１１は、図１０の破線囲み部の拡大図である。
【００７２】
図１０及び図１１に示されるように、下部ケース３００は、下方の側に底面３１０を有する。電池モジュール１００が下部ケース３００に収容されている状態において、積層されている電池セル１０は、下方に位置する底面３１０、及び、上方に位置する拘束板６０それぞれから加圧されている。言い換えれば、下部ケース３００の底面３１０は、拘束板６０が電池セル１０を加圧している側とは逆の側から、電池セル１０を加圧している。積層されている電池セル１０は、底面３１０と拘束板６０との間に挟持されているともいえる。積層されている電池セル１０は、挟持されていることによって、下部ケース３００に安定した状態で収容されうる。下部ケース３００の底面３１０が電池セル１０を下側から加圧する機能を有することによって、電池セル１０を下側から加圧するためだけの部材が省略されうる。結果として、組電池１が小型・軽量化されたり、低コスト化されたりしうるとともに、電池セル１０の保持構造の信頼性が向上されうる。
【００７３】
底面３１０は、絶縁シート５０を介して、電池セル１０の下方の面に当接してよい。絶縁シート５０は、接着層１５によって底面３１０に接着されていてよい。絶縁シート５０が設けられることによって、電池セル１０の下面と、下部ケース３００の底面３１０との間の電気的な絶縁性が向上されうる。底面３１０は、絶縁シート５０を介さずに、接着層１５によって電池セル１０に接着されていてよい。底面３１０が絶縁シート５０を介さずに電池セル１０に接着されている場合、電池セル１０の外装部材１６は、その表層等に絶縁性部材の層を含んでよい。底面３１０と電池セル１０との間に位置する絶縁シート５０又は絶縁性部材の層は、第２絶縁層ともいう。電池モジュール１００が底面３１０と電池セル１０との間に第２絶縁層を有することによって、電池セル１０と下部ケース３００との間の電気絶縁性が向上されうる。
【００７４】
底面３１０は、上方に突出する凸部３１２を有する。凸部３１２は、セルケースが有する開口部２２及び３２を通って、電池セル１０の下方の面の中央を含む所定範囲に当接しうる。電池モジュール１００の上方に位置する拘束板６０の凸部６２は、セルケースが有する開口部２２及び３２を通って、電池セル１０の上方の面の中央を含む所定範囲に当接しうる。凸部６２は、絶縁シート５０等の他の構成を介して、電池セル１０の上方の面に当接してよい。電池モジュール１００が下部ケース３００に収容されている状態において、積層されている電池セル１０は、下方に位置する凸部３１２と、上方に位置する凸部６２との間に挟持されている。積層されている電池セル１０は、上下両側から挟持されていることによって、強固に拘束されている。積層されている電池セル１０は、上方及び下方の面それぞれの、中央を含む所定範囲において、凸部６２及び凸部３１２によって加圧されている。電池セル１０は、保持部１８の上面及び下面のうち、封止部１９に近い周辺の部分よりも中央の部分において、より大きい力で加圧されうる。
【００７５】
電池セル１０は、充放電を繰り返すことによって、経時的に劣化しうる。電池セル１０の経時劣化に伴って、電池セル１０の内部において、電解液の分解又は揮発等に起因するガスが発生しうる。電池セル１０の内部で発生したガスは、電池セル１０を膨張させうる。積層されている電池セル１０は、拘束板６０の凸部６２及び底面３１０の凸部３１２によって、上下面から加圧されることによって、電池セル１０が積層されている方向へ膨張しにくくなる。
【００７６】
拘束板６０及び底面３１０は、セルケースの開口部２２及び３２を通して、積層されている電池セル１０を加圧している。すなわち、セルケースは、拘束板６０及び底面３１０によって直接加圧されていない。セルケースが加圧されないことによって、セルケースは撓みにくくなる。結果として、セルケースが破損しにくくなる。
【００７７】
拘束板６０が金属材により構成されることによって、拘束板６０の剛性が向上されうる。結果として、電池セル１０が積層されている方向に電池セル１０が膨張しにくくなるとともに、電池セル１０の上下方向の位置が規制されうる。拘束板６０が樹脂材又は電気絶縁性素材が付与されている金属材を含むことによって、電気絶縁性が向上されうる。拘束板６０が樹脂材により構成される場合、組電池１が軽量化されうるとともに、低コストで製造されうる。
【００７８】
電池セル１０が保持部１８の上面及び下面の中央付近で加圧されることによって、電池セル１０の内部で発生したガスは、封止部１９に近い周辺の部分に集められうる。電池セル１０の内部で発生したガスの圧力が所定値を超えた場合、ガスは、封止部１９から電池セル１０の外部に放出されうる。ガスが封止部１９に近い周辺の部分に集められることによって、ガスが電池セル１０の外部に放出されやすくなる。すなわち、電池セル１０が保持部１８の上面及び下面の中央付近で加圧されることによって、ガスが電池セル１０の外部に放出されやすくなる。結果として、電池セル１０の信頼性が向上されうる。
【００７９】
電池モジュール１００が絶縁シート５０を有することで、拘束板６０と、内部の電池セル１０との間の電気的な絶縁が確保されうる。
【００８０】
電池セル１０の正極タブ１２ｐ及び負極タブ１２ｎが前後方向に沿ってそれぞれ反対に突出することで、セルケースの対称性が向上されうる。このようにすることで、セルケースがバランスよく形成されうる。
【００８１】
（第２実施形態）
図１２は、第２実施形態に係る電池モジュール１００の構成例を示す外観斜視図である。図１３Ａは、図１２の電池モジュール１００の上面図である。図１３Ｂは、図１２の電池モジュール１００の底面図である。図１４は、図１２の電池モジュール１００の構成例を示す分解斜視図である。図１５Ａは、図９のＡ−Ａ断面に対応する図１２の電池モジュール１００の断面図である。図１５Ｂは、図９のＢ−Ｂ断面に対応する図１２の電池モジュール１００の断面図である。図１６は、図１４の電池セル１０と放熱板７０との配置関係を上面視で示した模式図である。第２実施形態に係る電池モジュール１００では、放熱板７０の構成が第１実施形態と異なる。以下では、第１実施形態と同一の構成部については同一の符号を付し、その説明を省略する。第１実施形態と異なる点について主に説明する。
【００８２】
図１４に示されるとおり、第２実施形態に係る電池モジュール１００では、放熱板７０は、薄板状に形成され、積層されている複数の電池セル１０において、１つの電池セル１０ごとに電池セル１０の間で挟持されている。すなわち、上下方向に沿って放熱板７０と電池セル１０とが交互に積層されている。電池セル１０と放熱板７０とは、接着層１５によって互いに固定されている。接着層１５は、電池セル１０の上下２つの第３外面１４の両方に設けられている。接着層１５は、例えば、接着剤又は両面テープ等の粘着剤を含む。接着層１５は、例えば、各電池セル１０の第３外面１４に接着剤を塗布する方法、又は、他の種々の方法によって形成されている。
【００８３】
複数の電池セル１０を含む積層体の積層方向における両端は外部と電気的に絶縁されている。より具体的には、複数の電池セル１０を含む積層体の上下両端それぞれは、電池セル１０とセルケースとの間に配置されている絶縁シート５０によって外部と電気的に絶縁されている。絶縁方法はこれに限定されない。積層体の上下両端それぞれは、拘束板６０によって外部と電気的に絶縁されていてもよい。このとき、拘束板６０は、樹脂材又は表面に電気絶縁性素材が付与されている金属材により構成される。積層体の上下両端それぞれは、開口部２２及び３２を有さないセルケース自体によって外部と電気的に絶縁されていてもよい。積層体の上下両端それぞれは、絶縁シート５０、拘束板６０、及びセルケースのうち少なくともいずれか一つによって外部と電気的に絶縁されていればよい。
【００８４】
図１２、図１３Ａ、図１３Ｂ、及び図１５Ｂに示されるように、放熱板７０は、セルケースから突出する。より具体的には、放熱板７０の右端部は、第２セルケース３０の側面開口部３５から外方に突出する。放熱板７０の左端部は、第１セルケース２０の側面開口部２５から外方に突出する。放熱板７０の左右両端部は、セルケースの各側面開口部から外方に突出して電池モジュール１００を収容している下部ケース３００の内部に露出している。放熱板７０の突出方向における両端は、セルケースの両端よりも内側に配置されている。
【００８５】
図１６に示されるように、放熱板７０は、突出方向、すなわち左右方向に沿って電池セル１０よりも幅広である。放熱板７０は、上面視において、セル電極を内部に保持している保持部１８の全体と重畳している。充放電の際には、電池セル１０の電極タブ１２におけるバスバとの接触抵抗によって、電極タブ１２近傍で熱が発生する。電極タブ１２近傍で発生した熱は、セル電極の中心に向かって保持部１８の内部を伝わろうとする。このとき、電池セル１０と隣接する放熱板７０の存在によって、電池セル１０において発生した熱は、放熱板７０を介してその左右方向の外側に伝わる。結果、放熱板７０において下部ケース３００の内部に露出している部分から放熱が行われる。
【００８６】
以上のような第２実施形態に係る電池モジュール１００によれば、積層された電池セル１０からの放熱が効率良く行われる。より具体的には、放熱板７０が突出方向に沿って電池セル１０よりも幅広であることで、突出方向に沿って熱が逃げやすくなる。加えて、放熱板７０がセルケースから突出することで、電池セル１０において発生した熱が放熱板７０を介して下部ケース３００の内部へと逃げやすくなる。これにより、電池セル１０の温度上昇が抑制されるので、電池セル１０の寿命が長くなる。
【００８７】
放熱板７０の突出方向における両端がセルケースの両端よりも内側に配置されていることで、放熱板７０と下部ケース３００との干渉が抑制される。これにより、接触による各部品の破損及び絶縁性の低下が抑制される。加えて、放熱板７０と下部ケース３００の内面との間に空隙が形成されるので、放熱性が向上する。
【００８８】
放熱板７０が保持部１８の全体と重畳していることで、拘束板６０による電池セル１０の加圧の際に、電池セル１０が放熱板７０を介して均一に加圧される。放熱板７０の端部が保持部１８の第３外面１４に接触することもないので、放熱板７０の端部による電池セル１０の破損も抑制される。結果、電池モジュール１００の信頼性が向上する。
【００８９】
複数の電池セル１０を含む積層体の積層方向における両端が電気的に絶縁されていることで、積層方向に沿った積層体からの放熱が抑制される。これにより、放熱板７０を介して、積層方向と直交する左右方向に沿って熱が逃げやすくなる。したがって、放熱板７０を用いて放熱が効率良く行われる。
【００９０】
電池セル１０と放熱板７０とが粘着剤によって互いに固定されていることで、電池セル１０及び放熱板７０を積層する際の作業性が向上する。同様に、電池セル１０及び放熱板７０の積層体をセルケースに挿入する際においても、その挿入性が向上し、組み立てに関する作業性が向上する。結果、組電池１の組み立て作業に関する全体の作業効率が向上する。
【００９１】
放熱板７０が１つの電池セル１０ごとに電池セル１０の間で挟持されていることで、複数の電池セル１０を含む積層体からの放熱性が向上する。各電池セル１０から同様に放熱が行われるので、電池モジュール１００内の電池セル１０ごとの温度ばらつきが抑制される。結果、電池モジュール１００の寿命が長くなる。放熱板７０が１つの電池セル１０ごとに電池セル１０の間で挟持されている場合であっても、放熱板７０が薄板状に形成されているため、電池モジュール１００の過剰な高背化が抑制される。
【００９２】
図１７は、放熱板７０の他の第１例を拡大して示した図９のＢ’−Ｂ’断面に対応する拡大断面図である。図１８Ａは、放熱板７０の他の第２例を模式的に示した上面図である。図１８Ｂは、放熱板７０の他の第２例を模式的に示した側面図である。図１９は、下部ケース３００に関連する構成の他の例を示した斜視図である。
【００９３】
第２実施形態に係る電池モジュール１００では、放熱板７０の形状は上述した内容に限定されない。例えば、図１７に示されるように、放熱板７０は、複数の電池セル１０の積層方向に沿って中心部に向かうほど突出方向に沿って幅広であってもよい。より具体的には、積層されている６つの電池セル１０に対して配置される５つの放熱板７０のうち、積層方向に沿って積層体の最も外方に位置する放熱板７０が最も幅狭である。５つの放熱板７０のうち、積層方向に沿って積層体の最も中心に位置する放熱板７０が最も幅広である。このような放熱板７０の構成により、積層体の中心部に熱がよりこもりやすいような場合であっても、効率良く放熱が行われ、電池セル１０ごとの温度の均一性が向上する。結果、電池モジュール１００の寿命が長くなる。
【００９４】
例えば、図１８Ａ及び図１８Ｂに示されるように、放熱板７０の突出方向における端縁部は、電池セル１０の積層方向の一方側に向けて傾斜する部分と他方側に向けて傾斜する部分とを交互に含んでもよい。例えば、放熱板７０の左端縁部において前方から後方に向けて７つの縁部Ａ１乃至Ａ７を定めた場合、縁部Ａ１、Ａ３、Ａ５、及びＡ７は下方に傾斜する。例えば、縁部Ａ２、Ａ４、及びＡ６は上方に傾斜する。この他にも、放熱板７０の突出方向における端縁部が例えば正弦波形状を有してもよい。このような放熱板７０の構成により、放熱板７０の端縁部での表面積が増大し、放熱性がさらに向上する。
【００９５】
ケースは、金属材又は金属材と一体成形された樹脂材により構成されてもよい。例えば、図１９に示されるように、下部ケース３００は、金属材３５０と一体成形された樹脂材により構成されてもよい。これにより、電池モジュール１００から発生した熱が効率良く外部に放出される。
【００９６】
組電池１は、例えば、ケースの内部に配置され、放熱板７０に向けて送風する送風部３６０を有してもよい。このとき、送風部３６０からの送風によってケース内の空気が循環し、ケースを介して組電池１の内部から外部に熱が放出される。これにより、電池モジュール１００の放熱性がさらに向上する。放熱板７０が図１８Ａ及び図１８Ｂに示されるような形状を有する場合、送風部３６０からの送風によってケース内を循環する空気と、放熱板７０との接触面積が増大する。したがって、熱交換が促進される。放熱板７０の形状と送風部３６０とによる相乗効果で、電池モジュール１００の放熱性がさらに向上する。
【００９７】
放熱板７０と下部ケース３００との絶縁性が確保されているのであれば、放熱板７０の左右方向の両端が下部ケース３００の内面と接触してもよい。これにより、電池モジュール１００の放熱性がさらに向上する。このとき、放熱板７０の左右両端部が下部ケース３００の内面に沿って屈曲し、屈曲部分が下部ケース３００の内面と接触してもよい。これにより、下部ケース３００との接触面積が増大し、電池モジュール１００の放熱性がさらに向上する。放熱板７０の屈曲部分と下部ケース３００の内面との接触部分にグリス等の充填剤を塗布することで、隙間が充填剤により充填される。これにより、互いの接触性が向上し、電池モジュール１００の放熱性がさらに向上する。
【００９８】
本発明は、その精神又はその本質的な特徴から離れることなく、上述した実施形態以外の他の所定の形態で実現できることは当業者にとって明白である。したがって、先の記述は例示的であり、これに限定されない。発明の範囲は、先の記述によってではなく、付加した請求項によって定義される。あらゆる変更のうちその均等の範囲内にあるいくつかの変更は、その中に包含されるとする。
【００９９】
例えば、上述した各構成部の形状、配置及び個数等は、上記の説明及び図面における図示の内容に限定されない。各構成部の形状、配置及び個数等は、その機能を実現できるのであれば、任意に構成されてもよい。
【０１００】
例えば、電池モジュール１００の組立方法は、上述した方法に限定されない。電池モジュール１００の組立方法は、その機能が発揮されるように組み立てることができるのであれば、任意の方法であってもよい。例えば、上述した電池モジュール１００の組立方法における各工程は、論理的に矛盾しないように再配置可能であり、複数の工程を１つに組み合わせたり、又は分割したりすることが可能である。
【０１０１】
第１セルケース２０と第２セルケース３０との係合方向は左右方向に限定されない。第１セルケース２０と第２セルケース３０とは、その機能が発揮されるように係合するのであれば、任意の方向に沿って係合してもよい。
【０１０２】
電池モジュール１００の下面側にも拘束板６０が配置されていてもよい。これにより、上下両方向から剛性の高い拘束板６０によって電池セル１０が狭持されているので、加圧保持性がさらに向上する。
【符号の説明】
【０１０３】
１  組電池
１０  電池セル
１１  第１外面
１２（１２ｐ、１２ｎ）  電極タブ（正極タブ、負極タブ）
１３  第２外面
１４  第３外面
１５  接着層
１６  外装部材
１７  タブ側面
１８  保持部
１９  封止部
２０  第１セルケース
２２  開口部
２３  仕切板
２５  側面開口部
３０  第２セルケース
３２  開口部
３３  仕切板
３４  スリット
３５  側面開口部
４０  タブ間バスバ
４１  総プラスバスバ
４２  総マイナスバスバ
５０  絶縁シート
６０  拘束板
６２  凸部
６４  拘束板締結部材
６６  締結部
７０  放熱板
７２  孔
８０  バスバカバー
９０  治具
９２  ボス
１００  電池モジュール
２００  補機モジュール
２１０  補機台座
２１２、２１４  締結部
２１６  締結孔
２２０  リレー
２２１  締結孔
２３０  電流センサ
２３１  締結孔
２４０  ヒューズ
２４１  締結孔
２５０  銅バスバ
２５１  締結孔
２５２  締結部材
２６０  基板
２６１  締結孔
２６２  締結部材
２７０  モジュール締結部材
３００  下部ケース
３１０  底面
３１２  凸部
３２０、３３０、３４０  締結部
３５０  金属材
３６０  送風部
４００  上部ケース
４１０  プラス出力端子
４１２  プラス出力端子バスバ
４１４  締結孔
４２０  マイナス出力端子
４２２  マイナス出力端子バスバ
４２４  締結孔
４３０  コネクタ
４４０  ガス排出部
４４２  ガスカバー
４４４  ブリーザ
４５０  締結部
Ａ１、Ａ２、Ａ３、Ａ４、Ａ５、Ａ６、Ａ７  縁部
【図１】
2019186034.tif 000003
【図２】
2019186034.tif 000004
【図３Ａ】
2019186034.tif 000005
【図３Ｂ】
2019186034.tif 000006
【図４】
2019186034.tif 000007
【図５Ａ】
2019186034.tif 000008
【図５Ｂ】
2019186034.tif 000009
【図５Ｃ】
2019186034.tif 000010
【図５Ｄ】
2019186034.tif 000011
【図５Ｅ】
2019186034.tif 000012
【図５Ｆ】
2019186034.tif 000013
【図５Ｇ】
2019186034.tif 000014
【図５Ｈ】
2019186034.tif 000015
【図６】
2019186034.tif 000016
【図７】
2019186034.tif 000017
【図８】
2019186034.tif 000018
【図９】
2019186034.tif 000019
【図１０】
2019186034.tif 000020
【図１１】
2019186034.tif 000021
【図１２】
2019186034.tif 000022
【図１３Ａ】
2019186034.tif 000023
【図１３Ｂ】
2019186034.tif 000024
【図１４】
2019186034.tif 000025
【図１５Ａ】
2019186034.tif 000026
【図１５Ｂ】
2019186034.tif 000027
【図１６】
2019186034.tif 000028
【図１７】
2019186034.tif 000029
【図１８Ａ】
2019186034.tif 000030
【図１８Ｂ】
2019186034.tif 000031
【図１９】
2019186034.tif 000032